(57)【要約】      （修正有）【課題】同じ大きさの立方体５個がお互いの面や辺で、二次元（Ｘ，Ｙ軸）や三次元（Ｘ，Ｙ，Ｚ軸）に安定的に接合して形成される、すべて形の異なるブロックを用い、直方体を構成するパズルを提供する。【解決手段】同じ大きさの立方体５個を二次元（Ｘ，Ｙ軸）や三次元（Ｘ，Ｙ，Ｚ軸）に接合し形成されるブロックは、すべて異なる形状のもので２９種１〜２９と、三次元のＸ，Ｙ，Ｚ方向に規定される、同じ大きさの立方体５個のうち、１個の立方体の１頂点を共有する三面それぞれに三つの立方体の面を接合し、前記１頂点からＸ，Ｙ，Ｚ方向に離れる側に伸びる三辺に５番目の立方体の三辺を接合して形成された特殊ブロック３０と、からなる計３０種類のブロックをすべて用いて、直方体を組立てる直方体組立パズルを構成する。【選択図】図１
0003178676.tif 000002
【実用新案登録請求の範囲】
【請求項１】
三次元のＸ，Ｙ，Ｚ方向に規定される、同じ大きさの立方体５個のうち、１個の立方体の１頂点を共有する三面それぞれに三つの立方体の面を接合し、前記１頂点からＸ，Ｙ，Ｚ方向に離れる側に伸びる三辺に５番目の立方体の三辺を接合して形成された特殊ブロックを有する直方体組立パズル。
【請求項２】
同じ大きさの立方体５個を二次元や三次元に接合して形成される、すべて異なる形のブロック３０種をすべて用い、直方体を構成する請求項１の直方体組立パズル。
【請求項３】
立方体の辺の長さの５倍×５倍×６倍の直方体を構成する請求項２の直方体組立パズル。
【請求項４】
前記３０種のブロックの内、２７種のブロックはそれを形成する５個の立方体が４つの面の接合でできており、別の２種のブロックはそれを形成する５個の立方体が５つの面の接合でできており、残る１個のブロックは前記特殊ブロックからなる請求項１〜請求項３に記載のいずれかの直方体組立パズル。
【請求項５】
前記、別の２種のブロックは、５個の立方体の内の４個を田の字型に接合し、残りの１個をその側面に接合したものと，その上面に接合したもので、請求項４の直方体組立パズル。
【請求項６】
前記３０種のブロックは、全ての辺に面取りを施し、各ブロックの組み合わせが滑らかになるよう工夫された請求項１〜請求項５のいずれかに記載の直方体組立パズル。
【考案の詳細な説明】
【技術分野】
【０００１】  本考案は同じ大きさの立方体５個がお互いの面や辺で、二次元（Ｘ，Ｙ軸）や三次元（Ｘ，Ｙ，Ｚ軸）に安定的に接合して形成される、すべて形の異なるブロックを用い、直方体を構成するためのパズルに関する。
【背景技術】
【０００２】  同じ大きさの立方体５個がお互いの面で、二次元（Ｘ，Ｙ軸）や三次元（Ｘ，Ｙ，Ｚ軸）に接合し形成されるブロックは多数あるが、形の異なるブロックは２９個（種）ある。従来のパズルの提案には、
２９個の内、任意の２５個を取り出し、立方体の数にして５×５×５＝１２５個分の大きさの立方体を作るパズルがある（例えば特許文献１参照）。
また前記２９個のブロックの内、三次元配列で可能な限り組み合わせた１７種と、直列組み合わせの１種より成り立つ１８駒（文献のまま）全部を使用して、立方体の一辺の長さの縦６、横５、高さ３の直方体を組み立てるパズル（例えば特許文献２参照）。
あるいはｎ個（実施例ではｎ＝４）の単位立方体が連結したブロック１個とｎ＋１個の単位立方体が連結したブロックｎ２−ｎ個からなる総立方体（文献のまま）を組み立てる立方体ブロック玩具（例えば特許文献３参照）を見ることが出来る。以上列記した文献はブロック数が２９種以下であり、したがって組み合わせて出来る立方体または直方体は当然小さくなる。またブロック数を３０個として立方体の辺の長さの３倍×５倍×１０倍の直方体を成す提案（例えば特許文献４参照）があるが、惜しむらくは、同じ形状のブロック（立方体５個が直列したもの）が２個含まれている。
【先行技術文献】
【特許文献】
【０００３】
【特許文献１】  実開平５−１１９８８号公報
【特許文献２】  実開平６−７０７９１号公報
【特許文献３】  実開平５−９５６００号公報
【特許文献４】  実開昭５６−６８５８０号公報
【考案の概要】
【考案が解決しようとする課題】
【０００４】  同じ大きさの立方体５個がお互いの面で、二次元（Ｘ，Ｙ軸）や三次元（Ｘ，Ｙ，Ｚ軸）に接合し形成される、すべて形の異なるブロックは２９種である。これは立方体数１４５個で、この数ではすべてのブロックを用い組み合わせても大きな立方体または直方体を構成することは出来ない。よって
ｉ    立方体５個からなる。
ｉｉ  前記２９種とは形が異なる。
上記二条件を満たすブロックを考案し、それを含めたブロック３０種（立方体数１５０個分）すべてを用い、直方体を構成することを課題とする。
【課題を解決するための手段】
【０００５】  立方体５個からなり、前記２９種とは異なる形のブロックを以下に提案する。
同じ大きさの立方体５個のうち、１個の立方体の１頂点を共有する三面それぞれに三つの立方体の面を接合し前記１頂点からＸ，Ｙ，Ｚ方向に離れる側に伸びる三辺に５番目の立方体の三辺を接合し得られるブロックを特殊ブロックとして提案する  図１（３０）。【０００６】  前記特殊ブロックは３方向の辺で支えられており、他のブロックと同様に外力に対して壊れにくく、安定した構造で玩具として適している。【０００７】  こうして得られた計３０種のブロックを組み合わせ、一例として、立方体の辺の長さの５倍×５倍×６倍の直方体を構成する。これまでにはない複雑な形をしたブロックを含み、３０種を組み合わせ、所定の枠に収めるのははなはだ難解であるが、それだけに完成した時の歓び、満足感は格別である。
【考案の効果】
【０００８】  従来の組み立てパズルでは、用意されたブロックの一部を残したまま大きな立方体を組み合わせるものやブロックを形成する立方体の数が一定でないものなど、パズルを解く者にはもどかしく、不満の残るパズルである。本提案はこのような不則性を無くし、提起されたブロック３０種をすべて用い、直方体を構成するパズルである。ブロックの数が多いほど組み合わせの数も多く難易度が増す。さらにブロックの中には三次元構造が含まれているので、組み合わせが進むにしたがって直方体の所定の枠の中に納まらないことが多々あり、その空隙と、残りのブロックの形状を一致させることが一層難しくなる。組み立てが完成した時の満足度、充実感は大である。
【図面の簡単な説明】
【０００９】
【図１】  立方体５個の接合でできるブロック３０種すべての斜視図である。
【図２】  ブロック（１）から（１０）までの斜視図及び裏側の斜視図（但しブロック（１０）を除く）である。
【図３】  ブロック（１１）から（２０）までの斜視図及び裏側の斜視図である。
【図４】  ブロック（２１）から（３０）までの斜視図及び裏側の斜視図である。
【図５】  本考案の一実施例を示す斜視図である。
【図６】  本考案の他の実施例を示す斜視図である。
【考案を実施するための形態】
【実施例】
【００１０】  立方体５個で形成されるブロックを多数組み合わせ、大きな立方体または直方体を作るパズルは実用新案や特許文献で数多くみられる。しかしそれらは、ブロックを形成する立方体の全てが５個ばかりで出来ているわけではなく、中には４個の立方体で形成されたブロックや３個の立方体で形成されたブロックが含まれている。このような例外的ブロックが含まれていること、また形状の異なる３０種のブロックすべてを使う例は知見がなく、あるいはいくつかブロックを残したまま立方体、直方体を組み立てることなどで満たされない気分を抱いていた。これらの不満感を無くしたく検討し、解決を見た。以下その実施例を示す。【００１１】  図１は同じ大きさの立方体５個を接合して出来るブロック３０種の斜視図である。便宜上それぞれのブロックに（１）から（３０）まで番号を付す。ブロック（１）〜（２９）はそれを形成する個々の立方体は互いに面接合で出来ており、ブロック（３０）のみが「０００５」で提案した辺接合を含む特殊ブロックである。同じ形状のブロックは含まない。【００１２】  図１  ブロック（１５），（２２），（３０）を除く２７種はそれらを形成する５個の立方体が４つの面接合からなり、ブロック（１５），（２２）は５個の立方体が５つの面接合により出来ている。この二つのブロックは４個の立方体を田の字型に接合し、残る１個の立方体をその側面に接合したものブロック（１５）とその上面に接合したものブロック（２２）である。【００１３】  図２  ブロック（１）から（１０）までの斜視図及び裏側の斜視図（但しブロック（１０）を除く）である。便宜上それぞれの面（６面）にＡ〜Ｆ記号を付す。ただしブロック（１），（４），（５），（１０）は対称型ブロックであり、それらにはＦまでの記号を付す必要はない。【００１４】  図３  ブロック（１１）から（２０）までの斜視図及び裏側の斜視図である。便宜上それぞれの面（６面）にＡ〜Ｆ記号を付す。ただしブロック（１１），（１２），（１３），（１８），（１９），（２０）は対称型ブロックであり、それらにはＦまでの記号を付す必要はない。【００１５】  図４  ブロック（２１）から（３０）までの斜視図及び裏側の斜視図である。便宜上それぞれの面にＡ〜Ｆの記号を付す。ただしブロック（２６），（２９），（３０）は対称型ブロックであり、それらにはＦまでの記号を付す必要はない。【００１６】  図５  本考案の一実施例を示す斜視図である。（５−０）は前記ブロック３０種を用いて組み立てた、立方体の辺の長さの５倍×５倍×６倍の直方体の斜視図である。この直方体を得るための手順を示す。（５−１）で底辺一段目と二段目の一部までブロックを、その番号と記号の向きを確かめ組み立てる。（５−２）は（５−１）のブロック群の上に三段目の殆どと四段目までブロックで組み立てる。（５−３）は（５−２）のブロック群の上に四段目の殆どと五段目の一部までを組み立てる。更に、（５−４）は五段目のブロックを乗せて図５（５−０）が完了する。【００１７】  図６  本考案の他の実施例を示す斜視図である。（６−０）は本考案に示すブロックすべてを用い構成した直方体の斜視図の一例で、図５とは異なる組み合わせの斜視図である。ブロック���番号―記号を（６−１）から（６−２）〜（６−４）まで組み合わせると（６−０）の直方体が得られる。【００１８】  「０００５」で提案した特殊ブロックの３辺に支えられた立方体は、それが接する前述の頂点の部分およびＸ，Ｙ，Ｚの辺で接する部分３か所の計４か所またはそれ以上の箇所に、面取り幅より小さい径の楔と接着剤で固定し、または前記３辺を、面取り幅より小さい幅に接着剤などを塗布して、立方体を接着固定する。【００１９】  各ブロックはその各辺を面取りしてある。これは特殊ブロックの、辺だけで接合する立方体を固定するために使用する楔と接着剤、または接着剤の厚みが、他のブロックとの組み合わせを阻害しないよう、またブロック同士の組み合わせを滑らかにするためである。【００２０】  前記３０種のブロックには便宜上それぞれに番号（１〜３０）と各面を示す記号（Ａ〜Ｆ）を付すことで、組み立ての順序と個々のブロックの組み合わせる方向を明らかにすることが出来る。完成図を記録保存する場合には番号―記号が記されていると重宝する。ただし番号―記号はなくても何ら本考案の有効性を害するものではない。【００２１】  立方体の材料は木材、プラスチック、ゴム、金属等、どのようなものでもよい。また中空でも中実でも構わない。
【符号の説明】
【００２２】  （１）〜（２９）    ブロック
（３０）            特殊ブロック
【図１】
0003178676.tif 000003
【図２】
0003178676.tif 000004
【図３】
0003178676.tif 000005
【図４】
0003178676.tif 000006
【図５】
0003178676.tif 000007
【図６】
0003178676.tif 000008